(57)【要約】【課題】  古新聞を溜めておくことが可能であるとともに、古新聞を結束することに慣れていない人や、力の弱い人でも、ストッカーから取り出すことなく、ストッカー内で古新聞を圧縮して結束を容易にする新聞ストッカーを提供する。【解決手段】底板と、側板と、前記側板に形成した逆戻り防止部と、新聞圧縮板と、前記底板と側板によって形成される新聞ストック部の内側に予め配置した新聞結束紐と、前記新聞圧縮板に取り付けられ、前記逆戻り防止部に引っ掛る引掛け部を備える。【選択図】  図１
2007008567.tif 000002
【特許請求の範囲】
【請求項１】
底板と、側板と、前記側板に形成した逆戻り防止部と、新聞圧縮板と、前記底板と側板によって形成される新聞ストック部の内側に予め配置した新聞結束紐と、前記新聞圧縮板に取り付けられ、前記逆戻り防止部に引っ掛る引掛部を備えたことを特徴とする新聞ストッカー。
【請求項２】
前記逆戻り防止部は鋸歯形状を有し、前記引掛部は鋸歯状の逆戻り防止部に引っ掛る平坦部と、底板方向に向いた傾斜部を備えることを特徴とする請求項１に記載の新聞ストッカー。
【請求項３】
前記引掛部を前記逆戻り防止部方向に押し付ける弾性体を備えることを特徴とする請求項１または２に記載の新聞ストッカー。
【請求項４】
前記弾性体に抗して、前記引掛部を逆戻り防止部方向から離す解除つまみを備えることを特徴とする請求項１乃至３のいずれか１項に記載の新聞ストッカー。
【請求項５】
前記側板上部に新聞結束紐の先端部を仮止めする仮止め部を備えることを特徴とする請求項１に記載の新聞ストッカー。
【請求項６】
前記底板と前記新聞圧縮板の内側それぞれに、新聞結束紐を通す溝を備えることを特徴とする請求項１に記載の新聞ストッカー。
【発明の詳細な説明】
【技術分野】
【０００１】
本発明は古新聞を溜め、そして溜まった古新聞をストッカー内で圧縮して結束することができる新聞ストッカーに関する。
【背景技術】
【０００２】
古新聞を圧縮して溜めておく新聞ストッカーは、例えば特許文献１に開示されている。特許文献１は、積載ベース上に古新聞を積載し、積載ベースの後方に立設したガイドレールによって上下動するように、積み重ねた古新聞の上面を押し付ける圧縮部材を設け、積み重ねた古新聞を圧縮するラックである。
【特許文献１】特開２００５−４７６１２号公報
【発明の開示】
【発明が解決しようとする課題】
【０００３】
特許文献１は、古新聞を溜めて圧縮することができるが、積み重ね圧縮した古新聞をまとめて結束する構造が考慮されていない。古新聞をまとめて結束するためには積み上げられた古新聞を圧縮しながら結束しなければならず、作業が困難である。
本発明はこのような問題を解決するものであり、古新聞を溜めておくことが可能であるとともに、古新聞の結束を容易にする新聞ストッカーを提供するものである。
【課題を解決するための手段】
【０００４】
本発明の新聞ストッカーは、底板と、側板と、前記側板に形成した逆戻り防止部と、新聞圧縮板と、前記底板と側板によって形成される新聞ストック部の内側に予め配置した新聞結束紐と、前記新聞圧縮板に取り付けられ、前記逆戻り防止部に引っ掛る引掛部を備え、前記課題を解決する。
また本発明の新聞ストッカーは、前記逆戻り防止部が鋸歯形状を有し、前記引掛部が鋸歯状の逆戻り防止部に引っ掛る平坦部と、底板方向に向いた傾斜部を備え、更に効果的に課題を解決する。
また本発明の新聞ストッカーは、前記引掛部を前記逆戻り防止部方向に押し付ける弾性体を備え、古新聞を圧縮することを可能にする。
また本発明の新聞ストッカーは、前記弾性体に抗して、前記引掛部を逆戻り防止部方向から離す解除つまみを備えるものである。
また本発明の新聞ストッカーは、前記側板上部に新聞結束紐の先端部を仮止めする仮止め部を備え、古新聞の結束を容易にする。
また本発明の新聞ストッカーは、前記底板と前記新聞圧縮板の内側それぞれに、新聞結束紐を通す溝を備え、古新聞の結束を容易にする。
【発明の効果】
【０００５】
本発明の新聞ストッカーは、底板と側板によって新聞ストック部を形成するので、古新聞を積み重ねて溜めることができる。また側板に形成した逆戻り防止部に、新聞圧縮板に取り付けた引掛部を引っ掛るので、新聞ストック部に積み重ねて溜めた古新聞を新聞圧縮板により圧縮することができ、この圧縮した状態を逆戻り防止部に引掛部を引っ掛けて維持することができる。そして新聞ストック部の内側に予め配置した新聞結束紐により容易に結束することができる。
また本発明の新聞ストッカーは、前記鋸歯形状の逆戻り防止部と、この鋸歯形状の逆戻り防止部に引っ掛る平坦部と、底板方向に向いた傾斜部を有する引掛部を備えるので、新聞圧縮板は古新聞を圧縮する一方向にのみ押すことが可能であり、古新聞の圧縮状態を維持することができる。
また本発明の新聞ストッカーは、前記引掛部を前記逆戻り防止部方向に押し付ける弾性体を備えるので、古新聞をより効果的に圧縮することができる。
また本発明の新聞ストッカーは、前記弾性体に抗して、前記引掛部を逆戻り防止部方向から離す解除つまみを備えるので、結束された古新聞を取り出すことができる。
また本発明の新聞ストッカーは、前記側板上部に新聞結束紐の先端部を仮止めする仮止め部を備えるので、新聞結束紐を予め新聞ストック部の内側に配置しておくことができる。
また本発明の新聞ストッカーは、前記底板と前記新聞圧縮板の内側それぞれに、新聞結束紐を通す溝を備えるので、圧縮した状態のまま古新聞を結束することができる。
【発明を実施するための最良の形態】
【０００６】
本発明の新聞ストッカーは、図１に示すように、底板１と、側板２により、新聞ストック部分を構成する。新聞ストック部分の大きさは、新聞を４つ折または８つ折りにした面の大きさより周囲を数ｃｍ大きくし、一般的な家庭が１ヶ月分の新聞を溜められる深さにする。従って底板１は新聞を４つ折りまたは８つ折りした大きさより数ｃｍ大きく形成される。側板２は長方形の新聞形状に合わせて、４方向に設ける。側板は１ヶ月分の新聞を積み重ねた高さより数ｃｍ高くする。
【０００７】
底板１および側板２はプラスチック材料を成型して構成される。側板２の内側に新聞圧縮板の逆戻り防止部３を形成する。従って側板は積み重ねた新聞の側部を支持する側壁であるとともに、逆戻り防止部３を形成する部材でもある。４つの側板２のうち、対向する２つの側板２に２つずつ、従って４つ逆戻り防止部３を形成する。対向する側板２に形成された逆戻り防止部３は、互いに対向する位置に形成する。
逆戻り防止部３は、図１の一部拡大図に示すように、例えば鋸歯形状を有し、鋸歯の段部が底板側、傾斜部が新聞挿入側になるように形成する。側板２の上部にゴム部材４を取り付け、このゴム部材４に新聞結束紐の先端部を仮止めする仮止め部５を設ける。仮止め部５はゴム部材４の一部に切り込みを形成することにより作ることができる。好ましくはＶ字状にすると、新聞結束紐を挿入し易くなる。新聞ストック部分の内側、すなわち底板１および側板２と、積み重ねられた古新聞との間に新聞結束紐６が配置されるように、予め新聞結束紐６を用意する。そして新聞結束紐６の端部を前記仮止め部５により仮止めする。仮止め部５は、積み重ねた古新聞を２本の新聞結束紐６により十字に結ぶように４箇所に備える。あるいは４つ折りまたは８つ折りした新聞の長辺側を１本の新聞結束紐で結束するよう２箇所でもよい。また新聞の長辺側を２箇所結束するように、新聞の長辺側に対向する側板に４箇所備えてもよい。
【０００８】
新聞ストック部分に積み重ねられた古新聞を圧縮するため、図２に示すように新聞ストック部分より小さい新聞圧縮板７を用意する。この新聞圧縮板７は人が上から押し付けても壊れないよう頑丈な材料、構造である。例えばプラスチック材料を所定以上の厚さに形成し、かつ十字状、またはX状に補強部を形成する。
新聞圧縮板７は前記逆戻り防止部３に引掛ける引掛部８を備える。引掛部８は前記４つの逆戻り防止部３に合わせて４つ形成する。引掛部８の先端は鋸歯状の逆戻り防止部３に合わせて傾斜部を形成し、また段部に合わせて平坦部を形成する。この引掛部８は逆戻り防止部３に引っ掛け、抜けないようにバネ、スプリング、ゴムのような弾性体（図示しない）により、逆戻り防止部３の方向に押し付けるようにする。更に新聞圧縮板７は前記弾性体に抗して、前記引掛部８を逆戻り防止部３の方向から離す解除つまみ９を備える。また新聞圧縮板７の下側、従って積み重ねた古新聞の側に新聞結束紐６を十字に通すよう溝１０を２つ備える。溝１０の端部に新聞結束紐６の先端部を仮止めする仮止め部１１を設ける。
【０００９】
本発明の新聞ストッカーは以上のように構成され、次のようにして使用する。
まず、新聞結束紐６を積み重ねた新聞を十字に結ぶように２本用意し、新聞ストック部分の内側に垂らして、底板に形成した溝を通し、端部を切り込みによって形成した４つの仮止め部５（イ、ロ、ハ、ニ）に挟み込んで仮止めする。新聞結束紐６の長さは積み重ねた古新聞を結束できる長さとする。新聞結束紐６は必ず２本必要ではなく、新聞の長辺側を結束するよう１本でもよい。また新聞の長辺側を２箇所結束するようにしてもよい。
【００１０】
次に新聞ストック部分に古新聞を溜める。新聞ストック部分が一杯になったら、あるいは所定以上古新聞が溜まったら、新聞結束紐６を仮止め部５（イまたはハ）から外して、新聞圧縮板７の下側に形成した溝１０を通し、新聞圧縮板７の仮止め部１１（Ａ）に仮止めする。同様に仮止め部５（ロまたはニ）から外して新聞圧縮板７の仮止め部１１（Ｂ）に仮止めする。準備ができたら、新聞圧縮板７を積み重ねられた古新聞の上に置き、上から押し付け、古新聞を圧縮する。新聞圧縮板７を押し付けると、引掛部８は逆戻り防止部３に引っ掛り新聞圧縮板は逆戻りしない構造になっている。この状態で圧縮する力を解除しても新聞の反発によって押し戻されることはない。
【００１１】
次に、新聞が充分に圧縮された状態で、新聞結束紐６の両端を仮止め部５（イまたはハ）と新聞圧縮板７の仮止め部１１（Ａ）それぞれから外し、新聞の角で結ぶ。結束の方法は本結び、かます結びなど任意である。新聞結束紐６を十字に架ける場合は、続いて仮止め部５（ロまたはニ）と新聞圧縮板７の仮止め部１１（Ｂ）それぞれから外し、新聞の角で結ぶ。        
【００１２】
新聞結束紐６を全部結束したら、解除つまみ９により引掛部８を逆戻り防止部３から外す。積み重ねられた古新聞は、新聞結束紐６に結束されているので、積み重ねられた古新聞は復元することがない。解除つまみ９により引掛部８を逆戻り防止部３から外した後、新聞圧縮板７を取り外し、結束した古新聞を取り出す。
【図面の簡単な説明】
【００１３】
【図１】新聞ストッカーの斜視図を示す。
【図２】新聞圧縮板の斜視図を示す。
【符号の説明】
【００１４】
１    底板
２    側板
３    逆戻り防止部
４    ゴム部材
５    仮止め部
６    新聞結束紐
７    新聞圧縮板
８    引掛部
９    解除つまみ
１０  溝（底板と新聞圧縮板）
１１  仮止め
【図１】
2007008567.tif 000003
【図２】
2007008567.tif 000004